(57)【特許請求の範囲】
【請求項１】
ハウジングと、同軸上に回転可能に保持された内軸部材及び外軸部材と、交互に形成された山部と谷部からなる凹凸部の数及び形状の少なくとも一方が異なる環状の複数の係合部が同心円状に設けられ、前記内軸部材と一体的に回転すると共に軸線方向に付勢されたクリック部材と、前記内軸部材の回転に伴って前記係合部と係脱する複数の係合突部とを備え、前記係合突部をそれぞれの前記係合部に対応して設け、前記外軸部材の回転位置に応じて係脱する前記係合部と前記係合突部との組を選択可能とした回転型電気部品であって、
前記複数の係合突部に第１係合突部と第２係合突部とを含み、前記第１係合突部及び第２係合突部は、それぞれ径の異なる環状をなした第１係合部材及び第２係合部材にそれぞれ複数個設けられていることを特徴とする回転型電気部品。
【請求項２】
ハウジングと、同軸上に回転可能に保持された内軸部材及び外軸部材と、交互に形成された山部と谷部からなる凹凸部の数及び形状の少なくとも一方が異なる環状の複数の係合部が同心円状に設けられ、前記内軸部材と一体的に回転すると共に軸線方向に付勢されたクリック部材と、前記内軸部材の回転に伴って前記係合部と係脱する複数の係合突部とを備え、前記係合突部をそれぞれの前記係合部に対応して設け、前記外軸部材の回転位置に応じて係脱する前記係合部と前記係合突部との組を選択可能とした回転型電気部品であって、
前記複数の係合突部に第１係合突部と第２係合突部とを含み、前記第１係合突部及び第２係合突部は、それぞれ径の異なる環状をなした第１係合部材及び第２係合部材に設けられ、前記内軸部材は、筒状部とその外周に鍔状部を有する筒状に形成され、前記ハウジングの筒状をした軸受け部に回転可能に保持される一方、前記クリック部材は、中央に貫通孔が形成された環状をなし、前記貫通孔が前記内軸部材の筒状部に挿通されて軸線方向には移動可能で周方向には回転が規制された状態で保持されており、前記鍔状部と前記クリック部材との間に、前記クリック部材を前記係合突部側へ付勢する付勢部材が設けられていることを特徴とする回転型電気部品。
【請求項３】
前記第１係合部材及び第２係合部材には、前記係合突部の突出方向と反対側の端部にカム部が設けられ、当該第１係合部材及び第２係合部材のそれぞれのカム部は、周方向の異なる位置に突出部を有し、前記外軸部材には、前記カム部上を摺動する凸部が設けられ、前記凸部が前記第１係合部材及び第２係合部材のいずれかの前記突出部上に位置することにより、いずれか一方の前記係合部材が選択的に移動され、当該選択された前記係合部材の前記係合突部が対応する前記係合部と係脱可能になることを特徴とする請求項２記載の回転型電気部品。
【請求項４】
前記外軸部材と前記クリック部材との間に、前記ハウジングの一部を構成するケースを設け、このケースに、前記第１係合突部及び第２係合突部を軸線方向に移動可能に挿通させる孔を形成すると共に、当該ケースの底壁上に前記第１係合部材及び第２係合部材を前記係合突部の突出方向と反対側に付勢するばねを配設したことを特徴とする請求項３記載の回転型電気部品。
【請求項５】
選択された前記係合部材の前記係合突部は、前記第１係合部材及び第２係合部材の一方に設けられた前記突出部を介して前記外軸部材の凸部と対向配置されることを特徴とする請求項３又は請求項４記載の回転型電気部品。
【請求項６】
前記外軸部材の凸部は、当該外軸部材の径方向に連続して延設されることを特徴とする請求項３から請求項５のいずれかに記載の回転型電気部品。
【請求項７】
前記外軸部材の凸部が前記第１係合部材及び第２係合部材のいずれか一方の前記突出部上に配置される際、前記凸部は、選択されていない他方の前記係合部材の前記カム部に形成された谷部に配置されることを特徴とする請求項６記載の回転型電気部品。
【請求項８】
前記複数の係合突部に更に第３係合突部を含み、当該第３係合突部は、前記第１係合部材及び第２係合部材と径の異なる第３係合部材に設けられ、当該第３係合部材は、前記係合突部の突出方向と反対側の端部にカム部が設けられ、当該第１係合部材、第２係合部材及び第３係合部材のそれぞれのカム部は、周方向の異なる位置に突出部を有し、前記外軸部材の凸部が前記第１係合部材、第２係合部材及び第３係合部材のいずれかの前記突出部上に配置される際、前記凸部は、選択されていない２つの前記係合部材の前記カム部に形成された谷部に挟まれて配置されることを特徴とする請求項６記載の回転型電気部品。
【請求項９】
前記カム部の前記突出部の中央部には、前記突出部よりも高さ寸法の小さい凹部が設けられていることを特徴とする請求項３から請求項８のいずれかに記載の回転型電気部品。
【請求項１０】
前記ハウジング内に前記外軸部材と共に回転する回転部材を配設し、前記内軸部材の鍔状部及び前記回転部材に、それぞれ第１摺動子と第２摺動子を設ける一方、前記ハウジングの底面に、前記第１摺動子及び第２摺動子がそれぞれ摺接する第１導電パターン及び第２導電パターンを設け、前記第１摺動子及び前記第１導電パターンによって前記内軸部材の回転検出手段を構成し、前記第２摺動子及び第２導電パターンによって前記外軸部材の回転検出手段を構成したことを特徴とする請求項２から請求項９のいずれかに記載の回転型電気部品。
【請求項１１】
前記係合突部が係脱する前記係合部が、凹凸部の数が多い係合部から少ない係合部に切り替えられる場合に、切り替え先の前記係合部の山部に前記係合突部の頂部が当接して止まる現象を回避する機構を設けたことを特徴とする請求項３から請求項９のいずれかに記載の回転型電気部品。
【請求項１２】
前記クリック部材の一部に前記外軸部材に当接し、当該外軸部材の回転に伴って当該クリック部材を回転させる当接部を設ける一方、前記外軸部材の一部に前記クリック部材の当接部を収容して当該当接部の当接による前記クリック部材の回転を制限する凹部を設け、前記係合突部が係脱する前記係合部が切り換えられる際に、前記外軸部材の回転に伴って前記クリック部材を回転させる一方、前記クリック部材の当該回転によって前記現象が発生し得る場合には、前記当接部を前記凹部に収容して、前記外軸部材の回転に伴う前記クリック部材の回転を制限することを特徴とする請求項１１記載の回転型電気部品。
【請求項１３】
前記ハウジング内に前記外軸部材と共に回転する回転部材を配設すると共に、前記回転部材の一部に前記クリック部材の一部と当接可能で、前記外軸部材の回転に伴って前記クリック部材を回転させる突起部を設ける一方、前記クリック部材の一部に前記突起部と当接可能な当接部を設け、前記係合突部が係脱する前記係合部が切り換えられる際に、前記現象が発生した場合に前記回転部材の突起部と前記クリック部材の当接部とを当接させて、前記外軸部材の回転に伴って前記クリック部材を回転させることにより、前記現象を解消させるようにしたことを特徴とする請求項１１記載の回転型電気部品。
【発明の詳細な説明】
【技術分野】
【０００１】
本発明は、回転型電気部品に関し、特に、回転する際にパルスコードを出力して回転角度や回転方向などを検知する回転型エンコーダなどに好適な回転型電気部品に関する。
【背景技術】
【０００２】
従来、自動車などの車両に搭載された各種装置（カーナビゲーション装置、オーディオ装置やエアコンディショナー（エアコン）等）の操作に用いられる操作装置において、回転操作に応じて異なるクリック感触を生起するため、ピッチの異なる凹凸部を有する２種類の係合部を回転軸の軸線方向に並べて配設するものが提案されている（例えば、特許文献１参照）。この操作装置においては、コイルばねにより付勢される係合突部を回転軸の回転に応じていずれかの係合部に係脱させることにより、異なるクリック感触を生起させている。
【先行技術文献】
【特許文献】
【０００３】
【特許文献１】特開２００９−１３５０６９号公報、図１１
【発明の概要】
【発明が解決しようとする課題】
【０００４】
しかしながら、上述した従来の操作装置においては、２種類の係合部に係脱させる係合突部が共通していることから、それぞれの係合部の形状に対応する形状とすることができず、両方の係合部との係脱において良好なクリック感触を得ることが困難であるという問題がある。また、この操作装置においては、２種類の係合部上を係合突部が移動する構成を採ることから、双方の係合部間の境界部分において係合突部が引っ掛かる事態が想定され、クリック感触の変更をスムーズに行うことができないという問題も発生し得る。
【０００５】
本発明は、かかる実情に鑑みてなされたものであり、良好な複数のクリック感触を得ると共に、これらの複数のクリック感触の変更を円滑に行うことができる回転型電気部品を提供することを目的とする。
【課題を解決するための手段】
【０００６】
本発明の回転型電気部品は、ハウジングと、同軸上に回転可能に保持された内軸部材及び外軸部材と、交互に形成された山部と谷部からなる凹凸部の数及び形状の少なくとも一方が異なる環状の複数の係合部が同心円状に設けられ、前記内軸部材と一体的に回転すると共に軸線方向に付勢されたクリック部材と、前記内軸部材の回転に伴って前記係合部と係脱する複数の係合突部とを備え、前記係合突部をそれぞれの前記係合部に対応して設け、前記外軸部材の回転位置に応じて係脱する前記係合部と前記係合突部との組を選択可能としている。
【０００７】
上記回転型電気部品によれば、複数の係合部に対応して係脱する係合突部をそれぞれ設け、外軸部材の回転位置に応じて係脱する係合部と係合突部との組を選択可能としたことから、内軸部材の回転操作時のクリック感触をそれぞれ独立した係合部と係合突部との組により生起することができるので、良好な複数のクリック感触を得ることが可能となる。また、複数の係合部に対応して係脱する係合突部をそれぞれ設けたことから、共通する係合突部を利用する場合のように係合突部が係脱する係合部を切り替える必要がないので、円滑に複数のクリック感触を変更することが可能となる。
【０００８】
上記回転型電気部品はさらに、前記複数の係合突部に第１係合突部と第２係合突部とを含み、前記第１係合突部及び第２係合突部は、それぞれ径の異なる環状をなした第１係合部材及び第２係合部材にそれぞれ複数個設けられていることを特徴とする。この場合には、第１係合突部及び第２係合突部を、第１係合部材及び第２係合部材にそれぞれ複数個設けたことから、第１係合部材又は第２係合部材をクリック部材に対して傾き難くできるので、安定したクリック感触を生起することが可能となる。また、複数の係合突部（第１係合突部又は第２係合突部）を、同一の係合部材（第１係合部材又は第２係合部材）に設けたことから、係合突部間の位置精度を高めることが可能となる。
【０００９】
あるいは、上記回転型電気部品はさらに、前記複数の係合突部に第１係合突部と第２係合突部とを含み、前記第１係合突部及び第２係合突部は、それぞれ径の異なる環状をなした第１係合部材及び第２係合部材に設けられ、前記内軸部材は、筒状部とその外周に鍔状部を有する筒状に形成され、前記ハウジングの筒状をした軸受け部に回転可能に保持される一方、前記クリック部材は、中央に貫通孔が形成された環状をなし、前記貫通孔が前記内軸部材の筒状部に挿通されて軸線方向には移動可能で周方向には回転が規制された状態で保持されており、前記鍔状部と前記クリック部材との間に、前記クリック部材を前記係合突部側へ付勢する付勢部材が設けられていることを特徴とする。この場合には、回転型電気部品を中空状に形成することができるので、部品内部に光源や他のスイッチ等の部品を配置することが可能となる。また、係合部と係合突部とを係脱させるための付勢力を、鍔状部とクリック部材との間に設けた付勢部材により供給することから、コイルばねで付勢された球体により係合突部を構成するような場合に比べて、部品を組み立てる際の作業効率を向上することが可能となる。
【００１０】
上記回転型電気部品において、前記第１係合部材及び第２係合部材には、前記係合突部の突出方向と反対側の端部にカム部が設けられ、当該第１係合部材及び第２係合部材のそれぞれのカム部は、周方向の異なる位置に突出部を有し、前記外軸部材には、前記カム部上を摺動する凸部が設けられ、前記凸部が前記第１係合部材及び第２係合部材のいずれかの前記突出部上に位置することにより、いずれか一方の前記係合部材が選択的に移動され、当該選択された前記係合部材の前記係合突部が対応する前記係合部と係脱可能になることが好ましい。この場合には、外軸部材の回転に応じて係合部材を選択的に軸線方向に移動させることができるので、クリック感触を生起させる係合突部と係合部との組を簡単に切り替えることが可能となる。
【００１１】
上記回転型電気部品においては、前記外軸部材と前記クリック部材との間に、前記ハウジングの一部を構成するケースを設け、このケースに、前記第１係合突部及び第２係合突部を軸線方向に移動可能に挿通させる孔を形成すると共に、当該ケースの底壁上に前記第１係合部材及び第２係合部材を前記係合突部の突出方向と反対側に付勢するばねを配設することが好ましい。この場合には、ハウジングの一部を利用して第１係合突部及び第２係合突部を案内すると共に、第１係合部材及び第２係合部材を付勢することができるので、安定して第１係合突部及び第２係合突部を軸線方向に移動させることが可能となる。
【００１２】
上記回転型電気部品において、選択された前記係合部材の前記係合突部は、前記第１係合部材及び第２係合部材の一方に設けられた前記突出部を介して前記外軸部材の凸部と対向配置されることが好ましい。この場合には、選択された係合部材に設けられた突出部を挟んで係合突部と外軸部材の凸部とが対向配置されることから、当該凸部により確実に係合突部を押えることができるので、当該係合突部と係合部との係脱を適切に行わせることができ、良好なクリック感触を生起させることが可能となる。
【００１３】
上記回転型電気部品において、前記外軸部材の凸部は、当該外軸部材の径方向に連続して延設されることが好ましい。この場合には、外軸部材の径方向に連続して凸部が設けられることから、凸部と係合部材のカム部とが引っ掛かる事態を抑止でき、係合部材の選択を円滑に行うことが可能となる。
【００１４】
上記回転型電気部品においては、前記外軸部材の凸部が前記第１係合部材及び第２係合部材のいずれか一方の前記突出部上に配置される際、前記凸部は、選択されていない他方の前記係合部材の前記カム部に形成された谷部に配置されることが好ましい。このように選択されていない他方の係合部材の谷部に外軸部材の凸部を配置することにより、当該凸部を安定的に保持することができ、一方の係合部材の突出部上から脱落する事態を防止することが可能となる。
【００１５】
上記回転型電気部品においては、前記複数の係合突部に更に第３係合突部を含み、当該第３係合突部は、前記第１係合部材及び第２係合部材と径の異なる第３係合部材に設けられ、当該第３係合部材は、前記係合突部の突出方向と反対側の端部にカム部が設けられ、当該第１係合部材、第２係合部材及び第３係合部材のそれぞれのカム部は、周方向の異なる位置に突出部を有し、前記外軸部材の凸部が前記第１係合部材、第２係合部材及び第３係合部材のいずれかの前記突出部上に配置される際、前記凸部は、選択されていない２つの前記係合部材の前記カム部に形成された谷部に挟まれて配置されることが好ましい。このように選択されていない２つの係合部材の谷部に挟んで外軸部材の凸部を配置することにより、当該凸部を安定的に保持することができ、選択された係合部材の突出部上から脱落する事態を防止することが可能となる。
【００１６】
上記回転型電気部品において、前記カム部の前記突出部の中央部には、前記突出部よりも高さ寸法の小さい凹部が設けられていることが好ましい。この場合には、カム部の突出部の中央部に凹部を設けたことから、当該凹部により外軸部材の凸部を安定的に保持すると共に、外軸部材の回転操作時におけるクリック感触を生起させることが可能となる。
【００１７】
上記回転型電気部品においては、前記ハウジング内に前記外軸部材と共に回転する回転部材を配設し、前記内軸部材の鍔状部及び前記回転部材に、それぞれ第１摺動子と第２摺動子を設ける一方、前記ハウジングの底面に、前記第１摺動子及び第２摺動子がそれぞれ摺接する第１導電パターン及び第２導電パターンを設け、前記第１摺動子及び前記第１導電パターンによって前記内軸部材の回転検出手段を構成し、前記第２摺動子及び第２導電パターンによって前記外軸部材の回転検出手段を構成することが好ましい。この場合には、鍔状部に設けた第１摺動子及び回転部材に設けた第２摺動子と、ハウジングに設けた第１、第２導電パターンによって内軸部材及び外軸部材の回転検出手段が構成されることから、簡単な構成で２種類の回転検出手段を実現することが可能となる。また、第１、第２導電パターンを同一部材（ハウジング）に設けていることから、インサート成形等で導電パターンを埋設する場合における成形対象を少なくできるので、回転型電気部品の製造に要するコストを低減することが可能となる。
【００１８】
上記回転型電気部品においては、前記係合突部が係脱する前記係合部が、凹凸部の数が多い係合部から少ない係合部に切り替えられる場合に、切り替え先の前記係合部の山部に前記係合突部の頂部が当接して止まる現象を回避する機構を設けることが好ましい。この場合には、クリック部材における切り替え先の係合部の山部に対応する係合突部の頂部が当接して止まる現象（山止まり現象）を防止することができるので、クリック感触を生起する係合突部と係合部との組を確実に切り替えることが可能となる。
【００１９】
上記回転型電気部品においては、前記クリック部材の一部に前記外軸部材に当接し、当該外軸部材の回転に伴って当該クリック部材を回転させる当接部を設ける一方、前記外軸部材の一部に前記クリック部材の当接部を収容して当該当接部の当接による前記クリック部材の回転を制限する凹部を設け、前記係合突部が係脱する前記係合部が切り換えられる際に、前記外軸部材の回転に伴って前記クリック部材を回転させる一方、前記クリック部材の当該回転によって前記現象が発生し得る場合には、前記当接部を前記凹部に収容して、前記外軸部材の回転に伴う前記クリック部材の回転を制限することが好ましい。この場合には、外軸部材の一部にクリック部材の当接部を収容する凹部を設けたことから、当該山止まり現象が発生する虞があるタイミングで外軸部材の回転に伴うクリック部材の回転を制限することができるので、効果的に山止まり現象を防止することが可能となる。
【００２０】
上記回転型電気部品においては、前記ハウジング内に前記外軸部材と共に回転する回転部材を配設すると共に、前記回転部材の一部に前記クリック部材の一部と当接可能で、前記外軸部材の回転に伴って前記クリック部材を回転させる突起部を設ける一方、前記クリック部材の一部に前記突起部と当接可能な当接部を設け、前記係合突部が係脱する前記係合部が切り換えられる際に、前記現象が発生した場合に前記回転部材の突起部と前記クリック部材の当接部とを当接させて、前記外軸部材の回転に伴って前記クリック部材を回転させることにより、前記現象を解消させるようにすることが好ましい。この場合には、互いに当接する突起部及び当接部を設けたことから、発生した山止まり現象が解消するようにクリック部材を回転させることができるので、効果的に山止まり現象を防止することが可能となる。
【発明の効果】
【００２１】
本発明によれば、複数の係合部に対応して係脱する係合突部をそれぞれ設け、外軸部材の回転位置に応じて係脱する係合部と係合突部との組を選択可能としたことから、内軸部材の回転操作時のクリック感触をそれぞれ独立した係合部と係合突部との組により生起することができるので、良好な複数のクリック感触を得ることが可能となる。また、複数の係合部に対応して係脱する係合突部をそれぞれ設けたことから、共通する係合突部を利用する場合のように係合突部が係脱する係合部を切り替える必要がないので、円滑に複数のクリック感触を変更することが可能となる。
【図面の簡単な説明】
【００２２】
【図１】本発明の実施の形態１に係る回転型電気部品を前方側から示す分解斜視図である。
【図２】実施の形態１に係る回転型電気部品を後方側から示す分解斜視図である。
【図３】実施の形態１に係る回転型電気部品の外観を示す斜視図である。
【図４】実施の形態１に係る回転型電気部品の第１ケースの平面図である。
【図５】実施の形態１に係る回転型電気部品が有するクリック部材の斜視図である。
【図６】実施の形態１に係る回転型電気部品が有するカム部材の分解斜視図である。
【図７】実施の形態１に係る回転型電気部品が有するカム部材を組み合わせた状態の斜視図（ａ）及び側面図（ｂ）である。
【図８】実施の形態１に係る回転型電気部品が有する外軸部材を軸部側及び壁面部側から示す斜視図である。
【図９】実施の形態１に係る回転型電気部品の側断面図である。
【図１０】実施の形態１に係る回転型電気部品で回転操作を受け付けた場合の動作について説明するための側面図である。
【図１１】実施の形態１に係る回転型電気部品で回転操作を受け付けた場合の動作について説明するための側面図である。
【図１２】実施の形態１に係る回転型電気部品で回転操作を受け付けた場合の動作について説明するための側面図である。
【図１３】実施の形態１に係る回転型電気部品で回転操作を受け付けた場合の動作について説明するための側面図である。
【図１４】実施の形態１に係る回転型電気部品で回転操作を受け付けた場合の動作について説明するための側面図である。
【図１５】実施の形態１に係る回転型電気部品で回転操作を受け付けた場合の動作について説明するための側面図である。
【図１６】実施の形態１に係る回転型電気部品で回転操作を受け付けた場合の動作について説明するための側面図である。
【図１７】実施の形態１に係る回転型電気部品で回転操作を受け付けた場合の動作について説明するための側面図である。
【図１８】実施の形態１に係る回転型電気部品で回転操作を受け付けた場合の動作について説明するための側面図である。
【図１９】実施の形態１に係る回転型電気部品で回転操作を受け付けた場合の動作について説明するための側面図である。
【図２０】実施の形態１に係る回転型電気部品で回転操作を受け付けた場合の動作について説明するための側面図である。
【図２１】実施の形態１に係る回転型電気部品で回転操作を受け付けた場合の動作について説明するための側面図である。
【図２２】実施の形態１に係る回転型電気部品において、外軸部材に伴ってクリック部材が回転するのを規制した状態の側面図である。
【図２３】実施の形態１に係る回転型電気部品の回転部材に固定される摺動子と、第１ケースに設けられた切換パターン及びコモンパターンとの関係を説明するための図である。
【図２４】本発明の実施の形態２に係る回転型電気部品を前方側から示す分解斜視図である。
【図２５】実施の形態２に係る回転型電気部品を後方側から示す分解斜視図である。
【図２６】実施の形態２に係る回転型電気部品が有する回転部材の斜視図である。
【図２７】実施の形態２に係る回転型電気部品が有するクリック部材の斜視図である。
【図２８】実施の形態２に係る回転型電気部品が有するカム部材の分解斜視図である。
【図２９】実施の形態２に係る回転型電気部品が有するカム部材を組み合わせた状態の斜視図（ａ）及び側面図（ｂ）である。
【図３０】実施の形態２に係る回転型電気部品が有する外軸部材を軸部側及び壁面部側から示す斜視図である。
【図３１】実施の形態２に係る回転型電気部品の側断面図である。
【図３２】実施の形態２に係る回転型電気部品で回転操作を受け付けた場合の動作について説明するための側面図である。
【図３３】実施の形態２に係る回転型電気部品で回転操作を受け付けた場合の動作について説明するための側面図である。
【図３４】実施の形態２に係る回転型電気部品で回転操作を受け付けた場合の動作について説明するための側面図である。
【図３５】実施の形態２に係る回転型電気部品で回転操作を受け付けた場合の動作について説明するための側面図である。
【図３６】実施の形態２に係る回転型電気部品で回転操作を受け付けた場合の動作について説明するための側面図である。
【発明を実施するための形態】
【００２３】
以下、本発明の実施の形態について添付図面を参照して詳細に説明する。本発明に係る回転型電気部品は、例えば、自動車などの車両に搭載された各種装置（カーナビゲーション装置、オーディオ装置やエアコンディショナー（エアコン）等）の操作に好適に用いられるが、その適用対象についてはこれに限定されるものではなく適宜変更が可能である。複数の操作対象を有し、それぞれに異なるクリック感触の生起が要請される任意の装置の操作に適用することが可能である。
【００２４】
（実施の形態１）
図１は、本発明の実施の形態１に係る回転型電気部品を前方側から示す分解斜視図である。図２は、実施の形態１に係る回転型電気部品を後方側から示す分解斜視図である。図３は、実施の形態１に係る回転型電気部品の外観を示す斜視図である。なお、以下においては、説明の便宜上、図１に示す左下方側を「回転型電気部品の前方側」と呼び、同図に示す右上方側を「回転型電気部品の後方側」と呼ぶものとする。
【００２５】
図１及び図２において、回転型電気部品１００は、ハウジングを構成する第１ケース１０、第２ケース２０及び取付部材３０と、第１ケース１０と第２ケース２０との間の空間に一部又は全部が収納される回転部材４０、内軸部材５０及びクリック部材６０と、第２ケース２０と取付部材３０との間の空間に収納される複数のカム部材７０と、外軸部材８０とを備えて構成されている。また、複数のカム部材７０は、係合部材として機能するものであり、第１カム部材７１０、第２カム部材７２０及び第３カム部材７３０で構成されている。
【００２６】
第１ケース１０は、例えば、絶縁性の合成樹脂材料（以下、「絶縁性樹脂」という）で成形される。第１ケース１０の中央には、前後方向に貫通する貫通孔１０１を規定する筒状の軸受け部１０２が設けられている。この軸受け部１０２の後方側の外面側には、有底状で前方側が開口された環状の収納部１０３が設けられている。この収納部１０３の外周は、概して円形状を有する側壁部１０４が設けられている。また、収納部１０３の底面には、例えば、導電性の金属板からなる複数の切換パターン及びコモンパターンがインサート成形等により設けられている。なお、これらの切換パターン及びコモンパターンの構成については後述する。
【００２７】
第２ケース２０は、第１ケース１０と同様に、絶縁性樹脂等で成形される。第２ケース２０は、その中央に形成された円形状の開口部２０１を規定する環状の底面部２０２と、この底面部２０２の外縁部から前方側に延出して設けられた円形状の側壁部２０３とを有し、概して前方側に開口する構成を有している。そして、これらの底面部２０２と側壁部２０３とで囲まれる空間に収納部２０４が設けられている。開口部２０１は、後述する内軸部材５０の筒状部５０１を挿通可能な大きさに形成され、この筒状部５０１を前方側に露出可能に構成されている。底面部２０２の前面の所定位置には、カム部材７０を付勢する複数のコイルばね９０１を保持する複数の軸部２０５が設けられている。また、底面部２０２の所定位置には、後述する第１カム部材７１０、第２カム部材７２０及び第３カム部材７３０の突出片７１２、７２２及び７３２を挿通可能な孔又は切り欠きからなる複数の貫通部２０６が設けられている。このように第２ケース２０に軸部２０５及び貫通部２０６を設けることにより、ハウジングの一部を利用して突出片７１２、７２２及び７３２を案内すると共に、第１カム部材７１０、第２カム部材７２０及び第３カム部材７３０を付勢することができるので、安定して第１カム部材７１０、第２カム部材７２０及び第３カム部材７３０を軸線方向に移動できるものとなっている。側壁部２０３は、側壁部１０４と略同一の形状を有し、側壁部１０４と共に回転型電気部品１００の外壁面を構成する。
【００２８】
取付部材３０は、金属板を打ち抜き、折り曲げて形成されており、円環状の上板部３０１と、この上板部３０１から後方側に向けて垂直に延出する複数（本実施の形態では３つ）の脚部３０２とを有している。上板部３０１の中央には、円形状の開口部３０３が形成されている。この開口部３０３は、後述する外軸部材８０の軸部８０２を挿通可能な大きさに形成され、これを前方側に露出可能に構成されている。脚部３０２の先端には、組み立てられた状態の回転型電気部品１００において、第１ケース１０の後面側に折り曲げられて取付部材３０を固定する爪部３０２ａが設けられている。
【００２９】
回転部材４０は、例えば、絶縁性樹脂等で成形され、円環形状に設けられる環状部４０１と、この環状部４０１の外縁部の所定位置から前方側に突出して設けられた複数（本実施の形態では３つ）の突出片４０２とを有している。これらの突出片４０２の先端部には、後述する外軸部材８０の突出片８０４と係合する係合片４０２ａが設けられている。環状部４０１の中央には、円形状の開口部４０３が設けられている。この開口部４０３は、第１ケース１０の軸受け部１０２を挿通可能な大きさに設けられている。環状部４０１の後面の所定位置には、第２摺動子として機能する摺動子９０２が固定される。この摺動子９０２は、第１ケース１０の収納部１０３に設けられた外軸部材８０の回転検出用の切換パターン及びコモンパターン上を摺動可能に回転部材４０に固定されている。
【００３０】
内軸部材５０は、例えば、絶縁性樹脂で成形される。内軸部材５０は、前方側に突出して設けられた中空状の筒状部５０１と、この筒状部５０１の後端部に設けられた鍔状部５０２とを有している。内軸部材５０は、この筒状部５０１の内部に設けられた貫通孔５０３で第１ケース１０の軸受け部１０２の外周部に回転可能に保持される。筒状部５０１の周面の後端部には、その周面よりも僅かに外側に突出する複数（本実施の形態では３つ）の係合片５０１ａが設けられている。鍔状部５０２は、円環形状を有しており、その前面には、クリック部材６０を前方側に付勢する複数（本実施の形態では３つ）のコイルばね９０３の後端部を収容する凹部５０２ａが形成されている。また、鍔状部５０２の後面の所定位置には、第１摺動子として機能する複数（本実施の形態では２つ）の摺動子９０４が固定される。これらの摺動子９０４は、第１ケース１０の収納部１０３に設けられた内軸部材５０の回転検出用の切換パターン及びコモンパターン上を摺動可能に内軸部材５０に固定されている。
【００３１】
クリック部材６０は、例えば、絶縁性樹脂で成形され、円環形状に設けられた基部６０１と、この基部６０１の内縁部から前方側に突出して設けられた壁面部６０２とを有している。この壁面部６０２の内側には、内軸部材５０の筒状部５０１の周面よりも僅かに大径の挿通孔６０３が設けられ、この筒状部５０１が挿通可能に構成されている。基部６０１の前面には、同心円状に設けられた複数（本実施の形態では３つ）のクリックカム６０４が設けられている。それぞれのクリックカム６０４においては、交互に形成された山部と谷部からなる凹凸部の数が異なっている。これらのクリックカム６０４は、係合部として機能するものであり、内軸部材５０が回転する際に後述するカム部材７０の突出片７１２、７２２及び７３２の係脱に応じてクリック感触を生起させる。壁面部６０２には、複数（本実施の形態では３つ）の切り欠き部６０２ａが設けられている。これらの切り欠き部６０２ａは、内軸部材５０の筒状部５０１に設けられた係合片５０１ａと係合する。これらの切り欠き部６０２ａに係合片５０１ａが係合することで、内軸部材５０とクリック部材６０とが一体的に回転可能に構成されている。
【００３２】
第１カム部材７１０、第２カム部材７２０及び第３カム部材７３０は、例えば、絶縁性樹脂で成形され、それぞれ中央に挿通孔７１１、７２１及び７３１を有する円環形状に設けられている。第１カム部材７１０、第２カム部材７２０及び第３カム部材７３０の前面の所定位置には、それぞれカム部としての複数の凹凸部が設けられている。また、第１カム部材７１０、第２カム部材７２０及び第３カム部材７３０の後面の所定位置には、それぞれ後方側に延出する複数（本実施の形態では３つ）の突出片７１２、７２２及び７３２が設けられている。これらの突出片７１２、７２２及び７３２の先端部には、クリック部材６０のクリックカム６０４と係脱する係合突部が設けられている。なお、これらの第１カム部材７１０、第２カム部材７２０及び第３カム部材７３０の構成については後述する。
【００３３】
外軸部材８０は、例えば、絶縁性樹脂で成形される。外軸部材８０は、円環形状に設けられた基部８０１と、この基部８０１の内縁部から前方側に突出して設けられた軸部８０２と、基部８０１の内縁部から後方側に突出して設けられた壁面部８０３と、この基部８０１の外縁部の所定位置から後方側に突出して設けられた複数（本実施の形態では３つ）の突出片８０４とを有している。基部８０１の後面における突出片８０４に対応する位置には、後方側に突出する複数の凸部８０１ａが設けられている（図２参照）。この凸部８０１ａは、第１カム部材７１０、第２カム部材７２０及び第３カム部材７３０に設けられた凹凸部上を移動し、これらの凹凸部の形状に応じて第１カム部材７１０、第２カム部材７２０及び第３カム部材７３０を後方側に移動させる。軸部８０２及び壁面部８０３の内側には、円形状の挿通孔８０５が設けられている。この挿通孔８０５は、内軸部材５０の筒状部５０１の周面よりも僅かに大径に設けられている。突出片８０４の先端部には、回転部材４０の突出片４０２に設けられた係合片４０２ａを収容する凹部８０４ａが設けられている。
【００３４】
このような構成部品を有する回転型電気部品１００を組み立てると、図３に示すように、回転部材４０などの構成部材を第１ケース１０に収納した状態で前方側から第２ケース２０が重ねられると共に、外軸部材８０などの構成部材を第２ケース２０に収納した状態で前方側から取付部材３０が取り付けられる。そして、取付部材３０の脚部３０２の爪部３０２ａが第１ケース１０の後面側で折り曲げられることで第１ケース１０及び第２ケース２０が一体化される。この場合において、外軸部材８０の軸部８０２の一部及び内軸部材５０の筒状部５０１の一部が取付部材３０の開口部３０３から前方側に向けて突出した状態となっている。内軸部材５０の筒状部５０１は、外軸部材８０の軸部８０２よりも前方側に突出している。このように組み立てられた状態において、内軸部材５０は、第１ケース１０の軸受け部１０２に回転可能に保持される一方、外軸部材８０は、第２ケース２０の側壁部２０３に回転可能に保持されており、それぞれ操作者の回転操作を受け付け可能に構成されている。
【００３５】
ここで、実施の形態１に係る回転型電気部品１００の第１ケース１０に設けられる切換パターン及びコモンパターンの構成について説明する。図４は、実施の形態１に係る回転型電気部品１００の第１ケース１０の平面図である。なお、図４においては、説明の便宜上、第１ケース１０にインサート成形されている切換パターン及びコモンパターンに斜線を付与している。
【００３６】
図４に示すように、第１ケース１０の収納部１０３の底面部においては、軸受け部１０２の周囲に内軸部材５０の回転検出用の切換パターン１０５Ａ、１０５Ｂ及びコモンパターン１０６が設けられ、一部の側壁部１０４の内周側に外軸部材８０の回転検出用の切換パターン１０７Ａ、１０７Ｂ及び１０７Ｃ、並びに、コモンパターン１０８が設けられている。これらの切換パターン１０５Ａ、１０５Ｂ及びコモンパターン１０６の一端部、並びに、切換パターン１０７Ａ、１０７Ｂ及び１０７Ｃ、並びに、コモンパターン１０８の一端部は、側壁部１０４の所定位置から外部に導出されている。
【００３７】
内軸部材５０の回転検出用のコモンパターン１０６は、軸受け部１０２の近傍で環状に設けられている。一方、切換パターン１０５Ａ、１０５Ｂは、それぞれコモンパターン１０６の略半分の長さに対応する円弧形状に設けられている。切換パターン１０５Ａ、１０５Ｂ及びコモンパターン１０６は、櫛歯形状に設けられ、切換パターン１０５Ａ、１０５Ｂとコモンパターン１０６とが対向する領域（パターン形成領域）と、これらのパターンがいずれも配置されない領域（パターン非形成領域）とが交互に配置されている。
【００３８】
外軸部材８０の回転検出用のコモンパターン１０８は、概して切換パターン１０５Ｂの外周側であって、第１ケース１０の略１／３の長さを有する円弧形状に設けられている。切換パターン１０７Ａ、１０７Ｂ及び１０７Ｃは、このコモンパターン１０８の先端側の略１／２の部分の外周側の領域に配置されている。切換パターン１０７Ａ、１０７Ｂは、当該領域の略１／２の長さを有する円弧形状に設けられ、コモンパターン１０８の外周側で互いに一定の空間１０９を挟んで配置されている。切換パターン１０７Ｃは、当該領域の略１／２の長さを有する円弧形状に設けられ、切換パターン１０７Ａ、１０７Ｂの外周側でこれらの間の空間１０９を含む一定領域に配置されている。
【００３９】
すなわち、外軸部材８０の回転検出用の切換パターン１０７Ａ、１０７Ｂ及び１０７Ｃ、並びに、コモンパターン１０８は、空間１０９の側方側において、コモンパターン１０８、切換パターン１０７Ａ（又は１０７Ｂ）及び切換パターン１０７Ｃがオーバーラップして配置されている。このようにコモンパターン１０８、切換パターン１０７Ａ（又は１０７Ｂ）及び切換パターン１０７Ｃにオーバーラップする箇所を設けたのは、外軸部材８０の回転に伴う内軸部材５０の回転に応じて誤ったコード信号が出力されるのを防止するためである。なお、この誤ったコード信号の出力を防止する処理については後述する。
【００４０】
実施の形態１に係る回転型電気部品１００においては、切換パターン１０５Ａ、１０５Ｂ及びコモンパターン１０６と、内軸部材５０の鍔状部５０２に固定された摺動子９０４とで内軸部材５０の回転検出手段を構成し、切換パターン１０７Ａ、１０７Ｂ及び１０７Ｃ、並びに、コモンパターン１０８と、回転部材４０に固定された摺動子９０２とで外軸部材８０の回転検出手段を構成していることから、簡単な構成で２種類の回転検出手段を実現することが可能となる。また、内軸部材５０の回転検出用の切換パターン１０５Ａ、１０５Ｂ及びコモンパターン１０６と、外軸部材８０の回転検出用の切換パターン１０７Ａ、１０７Ｂ及び１０７Ｃ、並びに、コモンパターン１０８とを同一部材である第１ケース１０に設けていることから、インサート成形等でこれらの導電パターンを埋設する場合における成形対象を少なくできるので、回転型電気部品１００の製造に要するコストを低減可能となっている。
【００４１】
次に、実施の形態１に係る回転型電気部品１００が有するクリック部材６０、カム部材７０及び外軸部材８０の構成について説明する。図５は、実施の形態１に係る回転型電気部品１００が有するクリック部材６０の斜視図である。図６は、実施の形態１に係る回転型電気部品１００が有するカム部材７０の分解斜視図である。図７（ａ）及び図７（ｂ）は、それぞれ実施の形態１に係る回転型電気部品１００が有するカム部材７０を組み合わせた状態の斜視図及び側面図である。図８（ａ）及び図８（ｂ）は、それぞれ実施の形態１に係る回転型電気部品１００が有する外軸部材８０を軸部８０２側及び壁面部８０３側から示す斜視図である。なお、図７においては、説明の便宜上、第１カム部材７１０がクリック感触の生起用に選択されて移動した場合について示している。また、以下においては、説明の便宜上、図１〜図３における回転型電気部品１００の前方側を上方側とし、同図における回転型電気部品１００の後方側を下方側として説明する。
【００４２】
図５に示すように、クリック部材６０の基部６０１には、その外周部分から内周側に向けて３つのクリックカム６０４ａ〜６０４ｃが設けられている。クリックカム６０４ａ〜６０４ｃの上面の凹凸部は、クリックカム６０４ａ、６０４ｂ及び６０４ｃの順に少なくなるように設けられており、例えば、それぞれの山部（又は谷部）の数が７２個、１８個及び９個に設計されている。壁面部６０２の上端部には、一定間隔を空けて上方側に突出する複数の当接部６０２ｂが設けられている。これらの当接部６０２ｂは、先端が幅狭をなした概して台形形状に設けられている。詳細について後述するように、これらの当接部６０２ｂは、クリック感触を切り替えるために凹凸部の数が少ないクリックカム６０４に切り替えられる場合にカム部材７０の係合突部が凹凸部の山部に当接して止まる現象（以下、「山止まり現象」という）の発生を防止する機構の一部を構成する。
【００４３】
カム部材７０において、第２カム部材７２０は、図６に示すように、第１カム部材７１０よりも小径の円環形状に設けられ、第３カム部材７３０は、第２カム部材７２０よりも小径の円環形状に設けられている。具体的には、第１カム部材７１０は、クリック部材６０のクリックカム６０４ａに対応する径に設けられ、第２カム部材７２０は、クリックカム６０４ｂに対応する径に設けられ、第３カム部材７３０は、クリックカム６０４ｃに対応する径に設けられている。
【００４４】
第１カム部材７１０の上端部には、山部７１３と谷部７１４とが交互に配置される凹凸部が設けられている。第１カム部材７１０においては、６個の山部７１３（又は谷部７１４）が並べられている。突出片７１２は、隣接する２個の山部７１３のうち、いずれか一方の山部７１３の下方側に設けられ、全体として突出片７１２が設けられていない山部７１３を挟む３個の山部７１３に対応して設けられている。突出片７１２の下端部には、その中央に僅かに下方側に突出する係合突部７１２ａが設けられている。この係合突部７１２ａがクリックカム６０４ａの凹凸部を係脱することによりクリック感触が生起されるものとなっている。また、第１カム部材７１０の外周面の所定位置には、第２ケース２０の側壁部２０３の内壁面に摺接する摺接片７１５が突出して設けられている。一方、第１カム部材７１０の内周面の所定位置には、後述する第２カム部材７２０の係合片７２７を収容可能な凹部７１６が設けられている。
【００４５】
第２カム部材７２０の上端部には、谷部７２３を挟んで水平部分７２４を含む第１山部７２５と第２山部７２６とが交互に配置される凹凸部が設けられている。第２カム部材７２０においては、３個の第１山部７２５及び第２山部７２６が並べられている。突出片７２２は、第１山部７２５の水平部分７２４の右方側端部の下方側に設けられている。突出片７１２と同様に、突出片７２２の下端部には、その中央に僅かに下方側に突出する係合突部７２２ａが設けられている。この係合突部７２２ａがクリックカム６０４ｂの凹凸部を係脱することによりクリック感触が生起されるものとなっている。第２カム部材７２０の外周面の所定位置には、第１カム部材７１０の凹部７１６に係合する係合片７２７が突出して設けられている。一方、第２カム部材７２０の内周面の所定位置には、後述する第３カム部材７３０の係合片７３７を収容可能な凹部７２８が設けられている。
【００４６】
第３カム部材７３０の上端部には、谷部７３３を挟んで水平部分７３４を含む第１山部７３５と第２山部７３６とが交互に配置される凹凸部が設けられている。第３カム部材７３０においては、３個の第１山部７３５及び第２山部７３６が並べられている。突出片７３２は、第１山部７３５の水平部分７３４の左方側端部の下方側に設けられている。突出片７１２、７２２と同様に、突出片７３２の下端部には、その中央に僅かに下方側に突出する係合突部７３２ａが設けられている。この係合突部７３２ａがクリックカム６０４ｃの凹凸部を係脱することによりクリック感触が生起されるものとなっている。第３カム部材７３０の外周面の所定位置には、第２カム部材７２０の凹部７２８に係合する係合片７３７が突出して設けられている。
【００４７】
このような第１カム部材７１０、第２カム部材７２０及び第３カム部材７３０は、第２ケース２０の収納部２０４に組み込まれた状態において、図７（ａ）に示すように、第１カム部材７１０の内側に近接して第２カム部材７２０が配置され、第２カム部材７２０の内側に近接して第３カム部材７３０が配置される。第１カム部材７１０、第２カム部材７２０及び第３カム部材７３０は、第２カム部材７２０の係合片７２７が第１カム部材７１０の凹部７１６に係合し、第３カム部材７３０の係合片７３７が第２カム部材７２０の凹部７２８に係合することで一定の位置関係を維持するように構成されている。
【００４８】
また、第２ケース２０の収納部２０４に組み込まれた状態において、図７（ｂ）に示すように、突出片７１２、７２２及び７３２は、それぞれカム部材７０の円周上の異なる位置に配置されている。さらに、突出片７１２が設けられた山部７１３は、第２カム部材７２０、第３カム部材７３０の谷部７２３、７３３に対応する位置に配置されている。同様に、突出片７２２が設けられた第１山部７２５の一部は、第１カム部材７１０、第３カム部材７３０の谷部７１４、７３３に対応する位置に配置され、突出片７３２が設けられた第１山部７３５の一部は、第１カム部材７１０、第２カム部材７２０の谷部７１４、７２３に対応する位置に配置されている。このように外軸部材８０の凸部８０１ａにより選択されていないカム部材７０の谷部（例えば、第２カム部材７２０、第３カム部材７３０の谷部７２３、７３３）を、選択されているカム部材の山部（例えば、第１カム部材７１０の山部７１３）に対応する位置に配置することにより凸部８０１ａを安定して保持可能に構成されている。
【００４９】
外軸部材８０においては、図８（ａ）に示すように、基部８０１を挟んで上方側に軸部８０２が設けられる一方、下方側に壁面部８０３が設けられている。そして、これらの軸部８０２及び壁面部８０３を貫通するように挿通孔８０５が設けられている。図８（ｂ）に示すように、基部８０１の下面に設けられる凸部８０１ａは、壁面部８０３の外周部から突出片８０４の内周部まで径方向に連続して設けられている。このように外軸部材８０の径方向に連続して凸部８０１ａを設けることにより、凸部８０１ａとカム部材７０の凹凸部とが引っ掛かる事態を抑止でき、カム部材７０の円滑な選択を可能としている。これらの凸部８０１ａは、カム部材７０の凹凸部上を摺動し、その回転位置に応じて特定のカム部材７０を選択的に押し下げるように構成されている。軸部８０２の周面には、一定間隔でフック部８０６と位置決め片８０７とが交互に設けられている。これらのフック部８０６及び位置決め片８０７は、不図示の操作つまみ等を固定及び位置決めするために利用される。壁面部８０３の下端部には、一定間隔で複数の凹部８０８が形成されている。これらの凹部８０８は、概して台形形状に設けられている。詳細について後述するように、これら凹部８０８は、クリック部材６０に設けられた当接部６０２ｂと共に、山止まり現象の発生を防止する機構の一部を構成する。
【００５０】
次に、このような構成を有する回転型電気部品１００を組み立てた場合の内部の構成について説明する。図９は、実施の形態１に係る回転型電気部品１００の側断面図である。図９においては、内軸部材５０の貫通孔５０３の中心点を通る断面を示している。なお、図９においては、説明の便宜上、第１カム部材７１０がクリック感触の生起用に選択されて下方側に移動した場合について示している。
【００５１】
図９に示すように、回転型電気部品１００の内部においては、第１ケース１０の収納部１０３の底面部に回転部材４０が配置されると共に、軸受け部１０２に内軸部材５０の筒状部５０１が回転可能に支持される。この場合、内軸部材５０の鍔状部５０２は、回転部材４０の開口部４０３の内側に配置されている。回転部材４０に固定された摺動子９０２は、収納部１０３の底面部に設けられた切換パターン１０７Ａ、１０７Ｂ及び１０７Ｃ、並びに、コモンパターン１０８に摺接可能な位置に配置される。また、内軸部材５０の鍔状部５０２に設けられた摺動子９０４は、切換パターン１０５Ａ、１０５Ｂ及びコモンパターン１０６に摺接可能な位置に配置される。
【００５２】
クリック部材６０は、挿通孔６０３に筒状部５０１が挿通された状態で第１ケース１０の収納部１０３に収納される。クリック部材６０は、内軸部材５０の鍔状部５０２上に載置されたコイルばね９０３により上方側に付勢された状態で上下方向に移動可能に保持されている。この場合、筒状部５０１に設けられた係合片５０１ａは、壁面部６０２に設けられた切り欠き部６０２ａに係合した状態とされ、内軸部材５０とクリック部材６０とが一体的に回転可能に構成されている。
【００５３】
第２ケース２０は、回転部材４０等を収納部１０３に収納した第１ケース１０の上方側に重ねられる。この場合、内軸部材５０の筒状部５０１及びクリック部材６０の壁面部６０２は、第２ケース２０の開口部２０１から上方側に突出した状態となっている。第１カム部材７１０、第２カム部材７２０及び第３カム部材７３０は、挿通孔７１１、７２１及び７３１に内軸部材５０の筒状部５０１等が挿通された状態で第２ケース２０の収納部２０４に収納される。第１カム部材７１０、第２カム部材７２０及び第３カム部材７３０は、第２ケース２０の底面部２０２に保持されたコイルばね９０１により上方側に付勢された状態で上下方向に移動可能に保持されている。この場合、突出片７１２、７２２及び７３２は、第２ケース２０の底面部２０２に設けられた貫通部２０６を貫通可能な位置に配置されている。なお、貫通部２０６は、突出片７１２、７２２、７３２に対応して複数設けられており、これらの突出片７１２、７２２、７３２の上下方向の移動を案内すると共に、各カム部材７１０、７２０、７３０の周方向の移動を規制している。
【００５４】
外軸部材８０は、挿通孔８０５に内軸部材５０の筒状部５０１等が挿通された状態で第２ケース２０の収納部２０４に収納される。この場合、外軸部材８０は、基部８０１の下面を第１カム部材７１０、第２カム部材７２０及び第３カム部材７３０の上方側に対向させた状態で配置されている。また、外軸部材８０の突出片８０４は、回転部材４０の突出片４０２と対応する位置に配置されている。突出片８０４の凹部８０４ａは、突出片４０２の係合片４０２ａと係合した状態とされ、外軸部材８０と回転部材４０とが一体的に回転可能に構成されている。
【００５５】
取付部材３０は、収納部２０４に第１カム部材７１０、第２カム部材７２０及び第３カム部材７３０、並びに、外軸部材８０を収納した状態の第２ケース２０に上方側から取り付けられる。この場合、内軸部材５０の筒状部５０１及び外軸部材８０の軸部８０２は、取付部材３０の開口部３０３から上方側に突出した状態とされる。そして、取付部材３０の脚部３０２の爪部３０２ａが第１ケース１０の下面において内側に折り曲げられることにより第２ケース２０が第１ケース１０に取り付けられ、回転電気部品１００が完成する。
【００５６】
次に、実施の形態１に係る回転型電気部品１００で回転操作を受け付けた場合の動作について説明する。図１０〜図２１は、実施の形態１に係る回転型電気部品１００で回転操作を受け付けた場合の動作について説明するための側面図である。図１０、図１３、図１６及び図１９においては、説明の便宜上、第１ケース１０、第２ケース２０、取付部材３０及びコイルばね９０１を省略している。これに加え、図１１、図１４、図１７及び図２０においては、回転部材４０及び外軸部材８０を省略している。一方、図１２、図１５、図１８及び図２１においては、カム部材７０を省略している。
【００５７】
図１０においては、外軸部材８０の基部８０１の下面に設けられた凸部８０１ａが、第１カム部材７１０における突出片７１２が設けられた山部７１３上に当接した状態で配置され、この第１カム部材７１０が選択されて下方側に移動した状態について示している。この場合、第１カム部材７１０の突出片７１２に設けられた係合突部７１２ａは、図１１に示すように、クリック部材６０のクリックカム６０４ａの谷部に係合した状態となっている。このように係合突部７１２ａがクリックカム６０４ａの谷部に係合した状態で内軸部材５０の回転操作が行われると、コイルばね９０３により上方側に付勢されたクリック部材６０のクリックカム６０４ａに対して係合突部７１２ａが係脱することでクリック感触が生起される。
【００５８】
なお、このように外軸部材８０の凸部８０１ａが、突出片７１２が設けられた山部７１３上に配置された状態において、外軸部材８０の基部８０１に設けられた凸部８０１ａは、第２カム部材７２０及び第３カム部材７３０の谷部７２３、７３３に対応する位置に配置された状態となっている（図１１参照）。第２カム部材７２０及び第３カム部材７３０は、不図示のコイルばね９０１により上方側に付勢されていることから、凸部８０１ａは、これらの谷部７２３、７３３で保持された状態となり、第１カム部材７１０の山部７１３から脱落するのを防止することができるものとなっている。
【００５９】
また、クリックカム６０４ａと係脱可能な状態において、係合突部７１２ａは、山部７１３を介して外軸部材８０の凸部８０１ａと対向配置されている。このように係合突部７１２ａと凸部８０１ａとの位置関係を設計することにより、凸部８０１ａにより確実に係合突部７１２ａを押えることができるので、当該係合突部７１２ａとクリックカム６０４ａとの係脱を適切に行わせることができ、良好なクリック感触を生起させることができるものとなっている。
【００６０】
さらに、第１カム部材７１０の下方側への移動により係合突部７１２ａがクリックカム６０４ａと係合した状態においては、図１２に示すように、クリック部材６０は、コイルばね９０３の付勢力に抗して僅かに押し下げられた状態となっている。この場合、クリック部材６０の壁面部６０２に設けられた当接部６０２ｂは、外軸部材８０の壁面部８０３の下端面から離間した状態となっている。このため、内軸部材５０の回転に伴って回転する際、クリック部材６０は、外軸部材８０と干渉することなく回転することができるものとなっている。
【００６１】
図１０に示す状態から外軸部材８０の軸部８０２が矢印Ａ方向に回転操作されると、これに伴って基部８０１に設けられた凸部８０１ａも同一方向に回転する。矢印Ａ方向に回転すると、図１３に示すように、凸部８０１ａは、第１カム部材７１０の上端面を摺動し、山部７１３から谷部７１４側に向かって移動する。このように凸部８０１ａが谷部７１４側に移動すると、図１４に示すように、不図示のコイルばね９０１の付勢力に応じて第１カム部材７１０が押し上げられる一方、不図示のコイルばね９０１の付勢力に抗して第２カム部材７２０が押し下げられる。なお、図１３及び図１４に示す状態においては、第１カム部材７１０の突出片７１２の係合突部７１２ａは、クリックカム６０４ａの谷部から完全に抜け出ておらず、これらの係合が完全に解除されていない状態について示している。
【００６２】
このように第１カム部材７１０の突出片７１２が上方側に移動すると、図１５に示すように、クリック部材６０がコイルばね９０３の付勢力により押し上げられ、その壁面部６０２に設けられた当接部６０２ｂが外軸部材８０の壁面部８０３の下端面に当接する。この場合、当接部６０２ｂは、壁面部８０３に設けられた凹部８０８とは異なる位置に当接するように構成されている。このように当接部６０２ｂが壁面部８０３の下端面に当接した状態から更に外軸部材８０が回転操作されると、当接部６０２ｂと壁面部８０３の下端面との摩擦によりクリック部材６０が外軸部材８０と同一方向に回転するように構成されている。
【００６３】
図１３に示す状態から外軸部材８０が更に矢印Ａ方向に回転操作されると、図１６に示すように、凸部８０１ａが第２カム部材７２０の山部７２５に向かう谷部７２３上を摺動し、不図示のコイルばね９０１の付勢力に抗して第２カム部材７２０が押し下げられていく。このとき、突出片７２２に設けられた係合突部７２２ａは、図１７に示すように、クリック部材６０のクリックカム６０４ｂの谷部に進入していく。すなわち、外軸部材８０の回転に伴って第１カム部材７１０が選択された状態から第２カム部材７２０が選択される状態に切り替えられていく。
【００６４】
このように第２カム部材７２０が押し下げられていく過程において、クリック部材６０は、コイルばね９０３の付勢力に抗して僅かに押し下げられていく。この場合、クリック部材６０の壁面部６０２に設けられた当接部６０２ｂは、図１８に示すように、外軸部材８０の壁面部８０３の下端面から下方側に移動して離間した状態となる。図１５において説明した外軸部材８０に伴うクリック部材６０の回転は、当接部６０２ｂが壁面部８０３の下端面から離間した時点で停止される。すなわち、クリック部材６０は、いずれのカム部材７０も選択されていない状態に限って外軸部材８０と共に断続的に回転するように構成されている。
【００６５】
そして、図１６に示す状態から外軸部材８０が更に矢印Ａ方向に回転操作され、基部８０１に設けられた凸部８０１ａが第２カム部材７２０の山部７２５に対応する位置に到達すると、図１９に示すように、第２カム部材７２０が完全に押し下げられる。このとき、突出片７２２に設けられた係合突部７２２ａは、図２０に示すように、クリック部材６０のクリックカム６０４ｂの谷部に係合した状態とされる。このように係合突部７２２ａがクリックカム６０４ｂの谷部に係合した状態で内軸部材５０の回転操作が行われると、コイルばね９０３により上方側に付勢されたクリック部材６０のクリックカム６０４ｂに対して係合突部７２２ａが係脱することでクリック感触が生起される。この場合、係合突部７１２ａとクリックカム６０４ａとの係脱により生起されるクリック感触よりも大きい時間間隔のクリック感触が生起されることとなる。
【００６６】
なお、このように係合突部７２２ａがクリック部材６０のクリックカム６０４ｂの谷部に係合した状態においても、クリック部材６０の壁面部６０２に設けられた当接部６０２ｂは、図２１に示すように、外軸部材８０の壁面部８０３の下端面から離間した状態を維持している。この場合、係合突部７２２ａがクリックカム６０４ｂの谷部に係合していることから、当該谷部に係合する前の状態（図１８に示す状態）と比べて、当接部６０２ｂと壁面部８０３の下端面との距離が短くなっている。
【００６７】
また、外軸部材８０の凸部８０１ａが、突出片７２２が設けられた山部７２５上に当接して配置された状態において、外軸部材８０の基部８０１に設けられた凸部８０１ａは、第１カム部材７１０及び第３カム部材７３０の谷部７１４、７３３に対応する位置に配置された状態となっている（図２０参照）。これにより、第１カム部材７１０が選択されている場合と同様に、凸部８０１ａは、これらの谷部７１４、７３３で保持された状態となり、第２カム部材７２０の山部７２５から脱落するのを防止することができるものとなっている。
【００６８】
このように外軸部材８０の回転に応じて凸部８０１ａがカム部材７０の上端部を摺動していき、第１カム部材７１０、第２カム部材７２０及び第３カム部材７３０が選択的に押し下げられる。そして、係合突部７１２ａ、７２２ａ及び７３２ａがクリック部材６０に係合した状態において、内軸部材５０が回転操作されると、これに伴ってクリック部材６０が回転し、クリック感触を生起させることができるものとなっている。ここでは、説明を省略しているが、第３カム部材７３０が選択された状態において、内軸部材５０が回転操作された場合には、第２カム部材７２０が選択された場合に生起されるクリック感触よりも大きい時間間隔のクリック感触が生起される。すなわち、実施の形態１に係る回転型電気部品１００においては、外軸部材８０の回転位置に応じて３つのクリック感触を生起することができるものとなっている。
【００６９】
そして、このように外軸部材８０の回転に応じて選択するカム部材７０を切り替える場合において、クリック部材６０の凹凸部が多いクリックカム（例えば、クリックカム６０４ｂ）から凹凸部が少ないクリックカム（例えば、クリックカム６０４ｃ）に切り替える際には、上述した山止まり現象が発生し得る。実施の形態１に係る回転型電気部品１００においては、この山止まり現象の発生を防止するため、外軸部材８０の所定の操作タイミングでクリック部材６０の壁面部６０２に設けた当接部６０２ｂを壁面部８０３に設けた凹部８０８に収容し、外軸部材８０の回転に伴うクリック部材６０の回転を規制する。
【００７０】
クリックカム６０４ａ、６０４ｂ、６０４ｃの凹凸部の配置及び係合突部７１２ａ、７２２ａ、７３２ａの位置が定まっていることから、山止まり現象は、外軸部材８０の回転操作に応じて発生するタイミングが事前に分かっている。このため、実施の形態１に係る回転型電気部品１００においては、いずれのカム部材７０を選択されていない状態において、外軸部材８０の回転に伴ってクリック部材６０を回転させる一方、山止まり現象が発生するタイミングではクリック部材６０の回転を規制することで山止まり現象の発生を防止している。以下、山止まり現象が防止された回転型電気部品１００の状態について説明する。
【００７１】
図２２は、実施の形態１に係る回転型電気部品１００において、外軸部材８０に伴ってクリック部材６０が回転するのを規制した状態の側面図である。図２２においては、図２１と同様に、第１ケース１０、第２ケース２０、取付部材３０及びカム部材７０、並びに、コイルばね９０１を省略している。図２２においては、クリック部材６０の壁面部６０２に設けられた当接部６０２ｂが、外軸部材８０の壁面部８０３に設けた凹部８０８に収容された状態について示している。
【００７２】
仮に、外軸部材８０の壁面部８０３に凹部８０８が設けられていない状態においては、外軸部材８０の回転に伴ってクリック部材６０が回転し、山止まり現象が発生する。実施の形態１に係る回転型電気部品１００においては、このようにクリック部材６０が外軸部材８０と共に回転すると山止まり現象が発生する箇所に凹部８０８を設けている。外軸部材８０を回転操作する過程において、凹部８０８に当接部６０２ｂを収容することにより、クリック部材６０の回転が規制されることとなり、山止まり現象の発生を効果的に防止できるものとなっている。
【００７３】
なお、実施の形態１に係る回転型電気部品１００においては、山止まり現象の発生を防止するために外軸部材８０の回転に伴ってクリック部材６０を回転させていることから、このクリック部材６０の回転に応じて内軸部材５０も僅かに回転することとなる。外軸部材８０の回転操作に応じて内軸部材５０が回転する場合には、内軸部材５０に固定された摺動子９０４の切換パターン１０５Ａ、１０５Ｂ及びコモンパターン１０６に対する摺接位置が変更され、意図しないコード信号が出力される可能性がある。このため、実施の形態１に係る回転型電気部品１００においては、外軸部材８０の回転操作の途中における内軸部材５０の位置に応じたコード信号を無効とする（キャンセルする）。
【００７４】
具体的には、外軸部材８０の回転検出用の切換パターン１０７Ａ、１０７Ｂ及び１０７Ｃ、並びに、コモンパターン１０８にオーバーラップする箇所を設け、当該箇所に摺動子９０２が配置されることで、外軸部材８０から２つのコード信号が出力される場合には、内軸部材５０からのコード信号を無効とする一方、外軸部材８０から単一のコード信号が出力された場合に内軸部材５０からのコード信号を有効とする。これにより、外軸部材８０が回転操作されている間、すなわち、外軸部材８０の回転操作に応じて内軸部材５０が回転している間は、内軸部材５０からのコード信号が無効とされ、外軸部材８０の回転操作が完了した後に内軸部材５０からのコード信号が有効とされる。
【００７５】
図２３（ａ）及び（ｂ）は、実施の形態１に係る回転型電気部品１００の回転部材４０に固定される摺動子９０２と、第１ケース１０に設けられた切換パターン１０７Ａ、１０７Ｂ及び１０７Ｃ、並びに、コモンパターン１０８との関係を説明するための図である。図２３（ａ）においては、第１カム部材７１０が選択された場合の摺動子９０２の位置を示し、同図（ｂ）においては、第２カム部材７２０が選択された場合の摺動子９０２の位置を示している。
【００７６】
ここで、摺動子９０２は、その先端部でコモンパターン１０８に摺接可能な第１摺接片９０２ａと、その先端部で切換パターン１０７Ａ、１０７Ｂに摺接可能な第２摺接片９０２ｂと、その先端部で切換パターン１０７Ｃに摺接可能な第３摺接片９０２ｃとを有している。外軸部材８０（回転部材４０）の回転に応じて第１摺接片９０２ａ、第２摺接片９０２ｂ及び第３摺接片９０２ｃの摺接状態が切り替えられることにより、外軸部材８０の回転位置に応じたコード信号が出力されるものとなっている。
【００７７】
第１カム部材７１０が選択され、摺動子９０２が図２３（ａ）に示す位置に配置されている場合には、第１摺接片９０２ａがコモンパターン１０８に摺接し、第３摺接片９０２ｃが切換パターン１０７Ｃに摺接した状態となっている。第２摺接片９０２ｂは、空間１０９に配置され、切換パターン１０７Ａ、１０７Ｂのいずれにも摺接していない状態である。このため、摺動子９０２を介して切換パターン１０７Ｃとコモンパターン１０８とが導通状態とされ、外軸部材８０から１つのコード信号が出力される。一方、第２カム部材７２０が選択され、摺動子９０２が図２３（ｂ）に示す位置に配置されている場合には、第１摺接片９０２ａがコモンパターン１０８に摺接し、第２摺接片９０２ｂが切換パターン１０７Ｂに摺接した状態となっている。第３摺接片９０２ｃは、切換パターン１０７Ｃの左方側に配置され、切換パターン１０７Ｃに摺接していない状態である。このため、摺動子９０２を介して切換パターン１０７Ｂとコモンパターン１０８とが導通状態とされ、外軸部材８０から１つのコード信号が出力される。実施の形態１に係る回転型電気部品１００においては、このように外軸部材８０から１つのコード信号が出力される場合に内軸部材５０からのコード信号を有効とする。すなわち、内軸部材５０の回転位置に応じて出力されるコード信号が有効に処理されることとなる。
【００７８】
これに対し、例えば、第１カム部材７１０が選択された状態から第２カム部材７２０が選択される状態に切り替えられる場合には、摺動子９０２は、図２３（ａ）に示す位置と図２３（ｂ）に示す位置との間に配置される。この場合、摺動子９０２においては、第１摺接片９０２ａがコモンパターン１０８に摺接し、第２摺接片９０２ｂが切換パターン１０７Ｂに摺接し、第３摺接片９０２ｃが切換パターン１０７Ｃに摺接した状態となっている。このため、摺動子９０２を介して切換パターン１０７Ｃとコモンパターン１０８とが導通状態とされると共に、切換パターン１０７Ｂとコモンパターン１０８とが導通状態とされ、外軸部材８０から２つのコード信号が出力される。実施の形態１に係る回転型電気部品１００においては、このように外軸部材８０から２つのコード信号が出力される場合に内軸部材５０からのコード信号を無効とする。すなわち、内軸部材５０の回転位置に応じて出力されるコード信号が無効とされ、回転型電気部品１００が搭載される装置本体にコード信号が出力されることはない。
【００７９】
このように実施の形態１に係る回転型電気部品１００においては、クリック部材６０に設けられた複数のクリックカム６０４ａ〜６０４ｃに対応して係脱する係合突部７１２ａ、７２２ａ及び７３２ａをそれぞれ設け、外軸部材８０の回転位置に応じて係脱するクリックカム６０４と係合突部７１２ａ、７２２ａ及び７３２ａとの組を選択可能としている。これにより、内軸部材５０の回転操作時のクリック感触をそれぞれ独立したクリックカム６０４と係合突部７１２ａ、７２２ａ及び７３２ａとの組により生起することができるので、良好な複数のクリック感触を得ることが可能となる。また、複数のクリックカム６０４に対応して係脱する係合突部７１２ａ、７２２ａ及び７３２ａをそれぞれ設けたことから、共通する係合突部を利用する場合のように係合突部が係脱する係合部を切り替える必要がないので、円滑に複数のクリック感触を変更することが可能となる。
【００８０】
また、実施の形態１に係る回転型電気部品１００においては、係合突部７１２ａ、７２２ａ及び７３２ａを、第１カム部材７１０、第２カム部材７２０及び第３カム部材７３０にそれぞれ複数個設けている。これにより、第１カム部材７１０、第２カム部材７２０及び第３カム部材７３０をクリック部材６０に対して傾き難くできるので、安定したクリック感触を生起することが可能となる。また、複数の係合突部７１２ａ、７２２ａ及び７３２ａを、同一の係合部材（第１カム部材７１０、第２カム部材７２０又は第３カム部材７３０）に設けたことから、係合突部７１２ａ、７２２ａ及び７３２ａ間の位置精度を高めることが可能となる。
【００８１】
さらに、実施の形態１に係る回転型電気部品１００において、内軸部材５０は、筒状部５０１とその外周に鍔状部５０２を有する筒状に形成され、第１ケース１０の筒状をした軸受け部１０２に回転可能に保持される一方、クリック部材６０は、中央に挿通孔６０３が形成された環状をなし、挿通孔６０３が内軸部材５０の筒状部５０１に挿通されて軸線方向には移動可能で周方向には回転が規制された状態で保持されている。そして、鍔状部５０２とクリック部材６０との間には、クリック部材６０を係合突部７１２ａ、７２２ａ及び７３２ａ側（カム部材７０側）へ付勢するコイルばね９０３が設けられている。このような構成とすることにより、回転型電気部品１００を中空状に形成することができるので、部品内部に光源や他のスイッチ等の部品を配置することが可能となる。また、クリックカム６０４ａ〜６０４ｃと係合突部７１２ａ、７２２ａ及び７３２ａとを係脱させるための付勢力を、鍔状部５０２とクリック部材６０との間に設けたコイルばね９０３により供給することから、コイルばねで付勢された球体により係合突部を構成するような場合に比べて、部品を組み立てる際の作業効率を向上することが可能となる。
【００８２】
さらに、実施の形態１に係る回転型電気部品１００において、第１カム部材７１０、第２カム部材７２０及び第３カム部材７３０に設けられた凹凸部は、周方向の異なる位置に山部７１３、第１山部７２５及び第１山部７３５を有し、外軸部材８０の基部８０１に設けられた凸部８０１ａがいずれかの山部７１３、第１山部７２５及び第１山部７３５上に位置することにより、第１カム部材７１０、第２カム部材７２０及び第３カム部材７３０が選択的に移動され、当該選択されたカム部材７０の係合突部が対応するクリックカム６０４と係脱可能となっている。これにより、外軸部材８０の回転に応じて第１カム部材７１０、第２カム部材７２０及び第３カム部材７３０を選択的に軸線方向に移動させることができるので、クリック感触を生起させる係合突部７１２ａ、７２２ａ及び７３２ａとクリックカム６０４ａ〜６０４ｃとの組を簡単に切り替えることが可能となる。
【００８３】
さらに、実施の形態１に係る回転型電気部品１００においては、係合突部７１２ａ、７２２ａ及び７３２ａが係脱するクリックカム６０４ａ〜６０４ｃにおいて、凹凸部の数が多いものから少ないものに切り替えられる場合に、切り替え先のクリックカム６０４の山部に係合突部７１２ａ、７２２ａ及び７３２ａの頂部が当接して止まる山止まり現象を防止する機構を設けたことから、外軸部材８０の回転操作途中で山止まり現象が発生する事態を防止できるので、クリック感触を生起する係合突部と係合部との組を確実に切り替えることが可能となる。
【００８４】
さらに、実施の形態１に係る回転型電気部品１００においては、クリック部材６０の一部に外軸部材８０に当接し、外軸部材８０の回転に伴ってクリック部材６０を回転させる当接部６０２ｂを設ける一方、外軸部材８０の一部にクリック部材６０の当接部６０２ｂを収容して当該当接部６０２ｂの当接によるクリック部材６０の回転を制限する凹部８０８を設け、この凹部８０８を外軸部材８０の回転位置に応じて山止まり現象が発生し得る箇所に配置していることから、山止まり現象が発生する虞があるタイミングで外軸部材８０の回転に伴うクリック部材６０の回転を制限することができるので、効果的に山止まり現象を防止することが可能となる。
【００８５】
（実施の形態２）
実施の形態２に係る回転型電気部品においては、主に山止まり現象を防止する機構（以下、「山止まり防止機構」という）が異なる点において、実施の形態１に係る回転型電気部品１００と相違する。また、カム部材７０及び外軸部材８０の構成が異なる点においても、実施の形態１に係る回転型電気部品１００と相違する。以下、実施の形態２に係る回転型電気部品の構成について、実施の形態１に係る回転型電気部品１００との相違点を中心に説明する。
【００８６】
図２４は、本発明の実施の形態２に係る回転型電気部品を前方側から示す分解斜視図である。図２５は、実施の形態２に係る回転型電気部品を後方側から示す分解斜視図である。図２４及び図２５において、実施の形態１に係る回転型電気部品１００と実質的に共通する構成部品については、同一の符号を付与してその説明を省略する。なお、以下においては、説明の便宜上、図２４に示す左下方側を「回転型電気部品の前方側」と呼び、同図に示す右上方側を「回転型電気部品の後方側」と呼ぶものとする。
【００８７】
図２４及び図２５に示すように、実施の形態２に係る回転型電気部品２００においては、山止まり防止機構を含む構成部品である回転部材４０Ａ及びクリック部材６０Ａの構成において、実施の形態１に係る回転型電気部品１００と相違する。具体的には、回転部材４０Ａは、その環状部４０１の前面に僅かに突出する突起部４０４が設けられている点、並びに、環状部４０１に一対の突出片４０２を備える点で実施の形態１に係る回転部材４０と相違する。一方、クリック部材６０Ａは、壁面部６０２に当接部６０２ｂが設けられていない点、並びに、基部６０１の後面に僅かに突出する当接部６０５が設けられている点で実施の形態１に係るクリック部材６０と相違する。
【００８８】
また、実施の形態２に係る回転型電気部品２００においては、カム部材７０Ａがその前面に設けられた凹凸部の形状が異なる第１カム部材７１０Ａ、第２カム部材７２０Ａ及び第３カム部材７３０Ａを有する点で実施の形態１に係るカム部材７０と相違する。さらに、実施の形態２に係る回転型電気部品２００においては、外軸部材８０Ａがその後面に設けられる凸部８０１ａの位置が異なる点、基部８０１に一対の突出片８０４を備える点、並びに、壁面部８０３に凹部８０８が設けられていない点で実施の形態１に係る外軸部材８０と相違する。
【００８９】
なお、実施の形態２に係る回転型電気部品２００においては、クリック部材６０Ａを前方側に付勢する板ばね９０５をコイルばね９０３の代わりに備え、その板ばね９０５がクリック部材６０Ａに固定される点、並びに、取付部材３０が４本の脚部３０２を備えると共に、一対の位置決め片３０４を備える点などにおいて、実施の形態１に係る回転型電気部品１００と相違する点を有するが、実質的な相違点ではない。
【００９０】
ここで、実施の形態２に係る回転型電気部品２００が有する回転部材４０Ａ、クリック部材６０Ａ、カム部材７０Ａ及び外軸部材８０Ａの構成について説明する。図２６は、実施の形態２に係る回転型電気部品２００が有する回転部材４０Ａの斜視図である。図２７は、実施の形態２に係る回転型電気部品２００が有するクリック部材６０Ａの斜視図である。図２８は、実施の形態２に係る回転型電気部品２００が有するカム部材７０Ａの分解斜視図である。図２９（ａ）及び図２９（ｂ）は、それぞれ実施の形態２に係る回転型電気部品２００が有するカム部材７０Ａを組み合わせた状態の斜視図及び側面図である。図３０（ａ）及び図３０（ｂ）は、それぞれ実施の形態２に係る回転型電気部品２００が有する外軸部材８０Ａを軸部８０２側及び壁面部８０３側から示す斜視図である。なお、図２９においては、説明の便宜上、第２カム部材７２０Ａがクリック感触の生起用に選択されて移動した場合について示している。また、以下においては、説明の便宜上、図２４及び図２５における回転型電気部品２００の前方側を上方側とし、同図における回転型電気部品２００の後方側を下方側として説明する。
【００９１】
図２６に示すように、回転部材４０Ａの環状部４０１には、上方側に突出する複数の突起部４０４が等間隔に設けられている。これらの突起部４０４は、概して三角形状を有しており、後述するクリック部材６０Ａの当接部６０５と共に山止まり防止機構の一部を構成する。
【００９２】
図２７（ａ）に示すように、クリック部材６０Ａの基部６０１には、その外周部分から内周側に向けて３つのクリックカム６０４ｄ〜６０４ｆが設けられている。クリックカム６０４ｄ〜６０４ｆの上面の凹凸部は、中央に配置されたクリックカム６０４ｅが最も多く、外周側に配置されたクリックカム６０４ｄが次に多く、内周側に配置されたクリックカム６０４ｆが最も少なく設けられており、例えば、それぞれの山部（又は谷部）の数が７２個、１８個及び９個に設計されている。また、図２７（ｂ）に示すように、基部６０１の下面には、その外縁部に下方側に突出する複数の当接部６０５が等間隔に設けられている。これらの当接部６０５は、概して三角形状を有しており、回転部材４０Ａの突起部４０４と共に山止まり防止機構の一部を構成する。
【００９３】
図２８に示すように、カム部材７０Ａにおいて、第２カム部材７２０Ａは、第１カム部材７１０Ａよりも小径の円環形状に設けられ、第３カム部材７３０Ａは、第２カム部材７２０Ａよりも小径の円環形状に設けられている。具体的には、第１カム部材７１０Ａは、クリック部材６０Ａのクリックカム６０４ｄに対応する径に設けられ、第２カム部材７２０Ａは、クリックカム６０４ｅに対応する径に設けられ、第３カム部材７３０Ａは、クリックカム６０４ｆに対応する径に設けられている。
【００９４】
第１カム部材７１０Ａの上端部には、山部７１７と谷部７１８とが交互に配置される凹凸部が設けられている。第１カム部材７１０Ａにおいては、３個の山部７１７（又は谷部７１８）が並べられている。山部７１７は、凹部７１７ａを挟んで配置される円弧形状部７１７ｂ、７１７ｃと、この円弧形状部７１７ｃの左方側（上面視して時計回り方向側）に配置される水平部７１７ｄとを有している。突出片７１２は、凹部７１７ａに対応する位置において山部７１７の下方側に設けられている。
【００９５】
第２カム部材７２０Ａの上端部には、谷部７２９ａを挟んで第１山部７２９ｂと第２山部７２９ｃとが交互に配置される凹凸部が設けられている。第１山部７２９ｂは、概して三角形状を有しており、第２山部７２９ｃは、第１山部７２９ｂと同程度の高さに配置される水平面を有している。突出片７２２は、第１山部７２９ｂの下方側に設けられている。突出片７２２の下端部には、下方側に突出する複数（本実施の形態では３個）の係合突部７２２ｂが設けられている（図２９（ｂ）参照）。これらの係合突部７２２ｂがクリックカム６０４ｅの凹凸部を係脱することによりクリック感触が生起されるものとなっている。
【００９６】
第３カム部材７３０Ａの上端部には、山部７３８と谷部７３９とが交互に配置される凹凸部が設けられている。第３カム部材７３０Ａにおいては、３個の山部７３８（又は谷部７３９）が並べられている。山部７３８は、凹部７３８ａを挟んで配置される円弧形状部７３８ｂ、７３８ｃと、この円弧形状部７３８ｂの右方側に配置される水平部７３８ｄとを有している。突出片７３２は、凹部７３８ａに対応する位置において山部７３８の下方側に設けられている。
【００９７】
このような第１カム部材７１０Ａ、第２カム部材７２０Ａ及び第３カム部材７３０Ａは、第２ケース２０の収納部２０４に組み込まれた状態において、図２９（ａ）に示すように、第１カム部材７１０Ａの内側に近接して第２カム部材７２０Ａが配置され、第２カム部材７２０Ａの内側に近接して第３カム部材７３０Ａが配置される。突出片７１２、７２２及び７３２は、それぞれカム部材７０Ａの円周上の異なる位置に配置されている。また、これらの突出片７１２、７２２及び７３２が設けられる山部７１７、７２９ｂ、７３８も、それぞれカム部材７０Ａの円周上の異なる位置に配置されている。
【００９８】
外軸部材８０Ａにおいては、図３０（ａ）に示すように、基部８０１の対向する位置に一対の突出片８０４が設けられている。基部８０１の下面には、半円柱形状を有する３つの凸部８０１ａが設けられている。ある凸部８０１ａは、一方の突出片８０４に対応する位置に設けられ、残りの２つは、その凸部８０１ａから等間隔になる位置（すなわち、１２０度離間した位置）に設けられている。これらの凸部８０１ａは、壁面部８０３の外周部から基部８０１の外縁部まで連続して設けられている。
【００９９】
次に、このような構成を有する回転型電気部品２００を組み立てた場合の内部の構成について説明する。図３１は、実施の形態２に係る回転型電気部品２００の側断面図である。図３１においては、内軸部材５０の貫通孔５０３の中心点を通る断面を示している。なお、図３１においては、説明の便宜上、第２カム部材７２０Ａがクリック感触の生起用に選択されて下方側に移動した場合について示している。
【０１００】
図３１に示すように、回転型電気部品２００の内部においては、第１ケース１０の収納部１０３の底面部に回転部材４０Ａが配置されると共に、軸受け部１０２に内軸部材５０の筒状部５０１が回転可能に支持される。この場合、内軸部材５０の鍔状部５０２は、回転部材４０Ａの開口部４０３の内側に配置されている。回転部材４０Ａに固定された摺動子９０２は、収納部１０３の底面部に設けられた切換パターン１０７Ａ、１０７Ｂ及び１０７Ｃ、並びに、コモンパターン１０８に摺接可能な位置に配置される。また、内軸部材５０の鍔状部５０２に設けられた摺動子９０４は、切換パターン１０５Ａ、１０５Ｂ及びコモンパターン１０６に摺接可能な位置に配置される。
【０１０１】
クリック部材６０Ａは、挿通孔６０３に筒状部５０１が挿通された状態で第１ケース１０の収納部１０３に収納される。クリック部材６０Ａは、その下面に固定された板ばね９０５により上方側に付勢された状態で上下方向に移動可能に保持されている。この場合、筒状部５０１に設けられた係合片５０１ａは、壁面部６０２に設けられた切り欠き部６０２ａに係合した状態とされ、内軸部材５０とクリック部材６０Ａとが一体的に回転可能に構成されている。
【０１０２】
第２ケース２０は、回転部材４０Ａ等を収納部１０３に収納した第１ケース１０の上方側に重ねられる。この場合、内軸部材５０の筒状部５０１及びクリック部材６０Ａの壁面部６０２は、第２ケース２０の開口部２０１から上方側に突出した状態となっている。第１カム部材７１０Ａ、第２カム部材７２０Ａ及び第３カム部材７３０Ａは、挿通孔７１１、７２１及び７３１に内軸部材５０の筒状部５０１等が挿通された状態で第２ケース２０の収納部２０４に収納される。第１カム部材７１０Ａ、第２カム部材７２０Ａ及び第３カム部材７３０Ａは、第２ケース２０の底面部２０２に保持されたコイルばね９０１により上方側に付勢された状態で上下方向に移動可能に保持されている。この場合、突出片７１２、７２２及び７３２は、第２ケース２０の底面部２０２に設けられた貫通部２０６を貫通可能な位置に配置されている。
【０１０３】
外軸部材８０Ａは、挿通孔８０５に内軸部材５０の筒状部５０１等が挿通された状態で第２ケース２０の収納部２０４に収納される。この場合、外軸部材８０Ａは、基部８０１の下面を第１カム部材７１０Ａ、第２カム部材７２０Ａ及び第３カム部材７３０Ａの上方側に対向させた状態で配置されている。また、外軸部材８０Ａの突出片８０４は、回転部材４０Ａの突出片４０２と対応する位置に配置されている。突出片８０４の凹部８０４ａは、突出片４０２の係合片４０２ａと係合した状態とされ、外軸部材８０Ａと回転部材４０Ａとが一体的に回転可能に構成されている。
【０１０４】
取付部材３０は、収納部２０４に第１カム部材７１０Ａ、第２カム部材７２０Ａ及び第３カム部材７３０Ａ、並びに、外軸部材８０Ａを収納した状態の第２ケース２０に上方側から取り付けられる。この場合、内軸部材５０の筒状部５０１及び外軸部材８０Ａの軸部８０２は、取付部材３０の開口部３０３から上方側に突出した状態とされる。そして、取付部材３０の脚部３０２の爪部３０２ａが第１ケース１０の下面において内側に折り曲げられることにより第２ケース２０が第１ケース１０に取り付けられ、回転電気部品２００が完成する。
【０１０５】
次に、実施の形態２に係る回転型電気部品２００で回転操作を受け付けた場合の動作について説明する。図３２〜図３６は、実施の形態２に係る回転型電気部品２００で回転操作を受け付けた場合の動作について説明するための側面図である。図３２〜図３６においては、説明の便宜上、第１ケース１０、第２ケース２０、取付部材３０及びコイルばね９０１を省略している。なお、実施の形態２に係る回転型電気部品２００で回転操作を受け付けた場合の動作については、原則として実施の形態１に係る回転型電気部品１００と共通するが、山止まり現象を解消する際の動作において相違する。このため、以下においては、この山止まり現象を解消する際の動作を中心に説明するものとする。
【０１０６】
図３２においては、外軸部材８０Ａの基部８０１の下面に設けられた凸部８０１ａが、第２カム部材７２０Ａにおける山部７２９ｂ上に配置され、この第２カム部材７２０Ａが選択されて下方側に移動した状態について示している。この場合、第２カム部材７２０Ａの突出片７２２に設けられた係合突部７２２ｂは、クリック部材６０Ａのクリックカム６０４ｅの谷部に係合した状態となっている。このように係合突部７２２ｂがクリックカム６０４ｅの谷部に係合した状態で内軸部材５０の回転操作が行われると、鍔状部５０２に当接（弾接）している板ばね９０５により上方側に付勢されたクリック部材６０Ａのクリックカム６０４ｅに対して係合突部７２２ｂが係脱することでクリック感触が生起される。
【０１０７】
なお、このように外軸部材８０Ａの凸部８０１ａが、山部７２９ｂ上に配置された状態において、外軸部材８０Ａの基部８０１に設けられた凸部８０１ａは、第１カム部材７１０Ａの山部７１７の円弧形状部７１７ｂと、第３カム部材７３０Ａの山部７３８の円弧形状部７３８ｃとの間に配置された状態となっている。第１カム部材７１０Ａ及び第３カム部材７３０Ａは、不図示のコイルばね９０１により上方側に付勢されていることから、凸部８０１ａは、円弧形状部７１７ｂと円弧形状部７３８ｃとの間で保持された状態となり、第２カム部材７２０Ａの山部７２９ｂから脱落するのを防止することができるものとなっている。
【０１０８】
図３２に示す状態から外軸部材８０Ａの軸部８０２が矢印Ａ方向に回転操作されると、これに伴って基部８０１に設けられた凸部８０１ａも同一方向に回転する。矢印Ａ方向に回転すると、凸部８０１ａは、第２カム部材７２０Ａの上端面を摺動し、山部７２９ｂから谷部７２９ａ側に向かって移動する。このように凸部８０１ａが谷部７２９ａ側に移動すると、図３３に示すように、不図示のコイルばね９０１の付勢力に応じて第２カム部材７２０Ａが押し上げられる一方、不図示のコイルばね９０１の付勢力に抗して第１カム部材７１０Ａが押し下げられる。
【０１０９】
なお、図３３においては、凸部８０１ａが第１カム部材７１０Ａの山部７１７の円弧形状部７１７ｂ上に配置された場合について示している。このとき、第１カム部材７１０Ａの突出片７１２においては、カムクリック６０４ｄの山部に当接して止まった状態となっている（すなわち、山止まり現象が発生している）。このように山止まり現象が発生した場合、クリック部材６０Ａは、板ばね９０５の付勢力に抗して押し下げられている。クリック部材６０Ａに設けられた当接部６０５は、回転部材４０Ａに設けられた突起部４０４に当接可能な位置に配置された状態となっている。
【０１１０】
図３３に示す状態から外軸部材８０Ａの軸部８０２が矢印Ａ方向に更に回転操作されると、突出片８０４及び突出片４０２を介して連結された回転部材４０Ａも同一方向に回転する。矢印Ａ方向に回転すると、回転部材４０Ａに設けられた突起部４０４は、図３４に示すように、クリック部材６０Ａに設けられた当接部６０５に当接する。これにより、クリック部材６０Ａが同一方向に回転駆動される。図３４においては、このように回転部材４０Ａに設けられた突起部４０４が、クリック部材６０Ａに設けられた当接部６０５に当接し、クリック部材６０Ａが回転する直前の状態について示している。
【０１１１】
図３４に示す状態から外軸部材８０Ａの軸部８０２が矢印Ａ方向に更に回転操作されると、回転部材４０Ａに設けられた突起部４０４によって、当接部６０５を介してクリック部材６０Ａが同一方向に回転駆動される。これにより、第１カム部材７１０Ａの突出片７１２が当接していたクリックカム６０４ｄの山部が同一方向に移動されることとなり、図３５に示すように、突出片７１２における山止まり現象が解消される。図３５においては、このように回転部材４０Ａに設けられた突起部４０４が、クリック部材６０Ａを回転させ、山止まり現象が解消された状態について示している。なお、山止まり現象が解消されると、クリック部材６０Ａは、板ばね９０５によって上方側へ付勢されていることから、クリックカム６０４ｄ（谷部側へ向かう斜面）が第１カム部材７１０Ａの突出片７１２によって案内されながら、クリック部材６０Ａは上方側へ移動していく。
【０１１２】
図３５に示す状態から外軸部材８０Ａの軸部８０２が矢印Ａ方向に更に回転操作されると、基部８０１に設けられた凸部８０１ａが第１カム部材７１０Ａの上端面を摺動し、円弧形状部７１７ｂから凹部７１７ａ側に向かって移動する。このように凸部８０１ａが凹部７１７ａ側に移動すると、図３６に示すように、不図示のコイルばね９０１の付勢力に応じて第１カム部材７１０Ａが押し上げられ、凸部８０１ａが凹部７１７ａに保持された状態となる。この場合、第１カム部材７１０Ａの突出片７１２の係合突部７１２ａは、クリックカム６０４ｄの谷部に係合した状態となる。このように係合突部７１２ａがクリックカム６０４ｄの谷部に係合した状態で内軸部材５０の回転操作が行われると、板ばね９０５により上方側に付勢されたクリック部材６０Ａのクリックカム６０４ｄに対して係合突部７１２ａが係脱することでクリック感触が生起される。この場合、係合突部７２２ｂとクリックカム６０４ｅとの係脱により生起されるクリック感触よりも大きい時間間隔のクリック感触が生起されることとなる。
【０１１３】
なお、クリックカム６０４ｄと係合状態とされる場合、回転型電気部品２００においては、外軸部材８０Ａの凸部８０１ａを、第１カム部材７１０Ａの凹部７１７ａに収容するようにしていることから、当該凸部８０１ａを安定的に保持すると共に、外軸部材８０Ａの回転操作時におけるクリック感触を生起させることができるものとなっている。
【０１１４】
このように実施の形態２に係る回転型電気部品２００においても、クリック部材６０Ａに設けられた複数のクリックカム６０４ｄ〜６０４ｆに対応して係脱する係合突部７１２ａ、７２２ｂ及び７３２ａをそれぞれ設け、外軸部材８０Ａの回転位置に応じて係脱するクリックカム６０４と係合突部７１２ａ、７２２ｂ及び７３２ａとの組を選択可能としている。これにより、内軸部材５０の回転操作時のクリック感触をそれぞれ独立したクリックカム６０４と係合突部７１２ａ、７２２ｂ及び７３２ａとの組により生起することができるので、良好な複数のクリック感触を得ることが可能となる。また、複数のクリックカム６０４に対応して係脱する係合突部７１２ａ、７２２ｂ及び７３２ａをそれぞれ設けたことから、共通する係合突部を利用する場合のように係合突部が係脱する係合部を切り替える必要がないので、円滑に複数のクリック感触を変更することが可能となる。
【０１１５】
また、実施の形態２に係る回転型電気部品２００においては、回転部材４０Ａの一部にクリック部材６０Ａの当接部６０５と当接し、外軸部材８０Ａの回転に伴ってクリック部材６０Ａを回転させる突起部４０４を設ける一方、クリック部材６０Ａの一部に突起部４０４と当接する当接部６０５を設け、外軸部材８０Ａの回転位置に応じて山止まり現象が発生し得る箇所に突起部４０４及び当接部６０５を配置したことから、山止まり現象が発生する虞があるタイミングでクリック部材６０Ａを回転させることができるので、効果的に山止まり現象を防止することが可能となる。
【０１１６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【０１１７】
例えば、上記実施の形態においては、回転型電気部品１００、２００において、交互に形成された山部と谷部からなる凹凸部の数が異なる複数のクリックカム６０４が設けられたクリック部材６０、６０Ａを備える場合について説明しているが、クリック部材６０、６０Ａの構成についてはこれに限定されるものではない。例えば、交互に形成された山部と谷部からなる凹凸部の数が同一であって、その凹凸部の形状が異なる構成や、凹凸部の数及び形状が異なる構成を有するようにしても良い。これらのようにクリック部材６０、６０Ａを構成する場合においても、上記実施の形態と同様の効果を得ることが可能である。
【０１１８】
また、上記実施の形態においては、回転型電気部品１００、２００において、３つのカム部材７０（第１カム部材７１０（７１０Ａ）、第２カム部材７２０（７２０Ａ）及び第３カム部材７３０（７３０Ａ））を備える場合について説明している。しかしながら、カム部材７０の数については、これに限定されるものではなく、２つ以上の任意の数のカム部材７０を備えることが可能である。
【符号の説明】
【０１１９】
１００、２００  回転型電気部品
１０  第１ケース
１０１  貫通孔
１０２  軸受け部
１０３  収納部
１０４  側壁部
２０  第２ケース
２０１  開口部
２０２  底面部
２０３  側壁部
２０４  収納部
２０５  軸部
２０６  貫通部
３０  取付部材
３０１  上板部
３０２  脚部
３０３  開口部
４０、４０Ａ  回転部材
４０１  環状部
４０２  突出片
４０３  開口部
４０４  突起部
５０  内軸部材
５０１  筒状部
５０２  鍔状部
５０２ａ  凹部
５０３  貫通孔
６０、６０Ａ  クリック部材
６０１  基部
６０２  壁面部
６０２ａ  切り欠き部
６０２ｂ  当接部
６０３  挿通孔
６０４、６０４ａ〜６０４ｆ  クリックカム
６０５  当接部
７０、７０Ａ  カム部材
７１０、７１０Ａ  第１カム部材
７２０、７２０Ａ  第２カム部材
７３０、７３０Ａ  第３カム部材
７１１、７２１、７３１  挿通孔
７１２、７２２、７３２  突出片
７１２ａ、７２２ａ、７２２ｂ、７３２ａ  係合突部
７１３  山部
７１４、７２３、７３３  谷部
７１５  摺接片
７１６  凹部
７１７  山部
７１７ａ  凹部
７１７ｂ、７１７ｃ  円弧形状部
７１８  谷部
７２４  水平部分
７２５  第１山部
７２６  第２山部
７２７  係合片
７２８  凹部
７２９ａ  谷部
７２９ｂ  第１山部
７２９ｃ  第２山部
７３４  水平部分
７３５  第１山部
７３６  第２山部
７３７  係合片
７３８  山部
７３８ａ  凹部
７３８ｂ、７３８ｃ  円弧形状部
７３９  谷部
８０、８０Ａ  外軸部材
８０１  基部
８０１ａ  凸部
８０２  軸部
８０３  壁面部
８０４  突出片
８０４ａ  凹部
８０５  挿通孔
８０６  フック部
８０７  位置決め片
８０８  凹部
９０１、９０３  コイルばね
９０２、９０４  摺動子
９０５  板ばね
【図１】
0005675430.tif 000002
【図２】
0005675430.tif 000003
【図３】
0005675430.tif 000004
【図４】
0005675430.tif 000005
【図５】
0005675430.tif 000006
【図６】
0005675430.tif 000007
【図７】
0005675430.tif 000008
【図８】
0005675430.tif 000009
【図９】
0005675430.tif 000010
【図１０】
0005675430.tif 000011
【図１１】
0005675430.tif 000012
【図１２】
0005675430.tif 000013
【図１３】
0005675430.tif 000014
【図１４】
0005675430.tif 000015
【図１５】
0005675430.tif 000016
【図１６】
0005675430.tif 000017
【図１７】
0005675430.tif 000018
【図１８】
0005675430.tif 000019
【図１９】
0005675430.tif 000020
【図２０】
0005675430.tif 000021
【図２１】
0005675430.tif 000022
【図２２】
0005675430.tif 000023
【図２３】
0005675430.tif 000024
【図２４】
0005675430.tif 000025
【図２５】
0005675430.tif 000026
【図２６】
0005675430.tif 000027
【図２７】
0005675430.tif 000028
【図２８】
0005675430.tif 000029
【図２９】
0005675430.tif 000030
【図３０】
0005675430.tif 000031
【図３１】
0005675430.tif 000032
【図３２】
0005675430.tif 000033
【図３３】
0005675430.tif 000034
【図３４】
0005675430.tif 000035
【図３５】
0005675430.tif 000036
【図３６】
0005675430.tif 000037